【手続補正書】
【提出日】平成19年7月3日(2007.7.3)
【手続補正１】
【補正対象書類名】明細書
【補正対象項目名】特許請求の範囲
【補正方法】変更
【補正の内容】
【特許請求の範囲】
【請求項１】  第１のビデオ番組を表し第１の色フォーマットに従ってフォーマット化された第１のビデオ信号を供給する第１のビデオ信号源と、
第２のビデオ番組を表し第２の色フォーマットに従ってフォーマット化された第２のビデオ信号を供給する第２のビデオ信号源と、
前記第１及び第２のビデオ信号源の一方を選択して選択されたビデオ信号を処理するために供給するスイッチ手段と、
前記第１及び第２のビデオ番組の一方にオーバレイされるグラフィックス表示を形成するオンスクリーン表示（ＯＳＤ）信号を生成するＯＳＤ信号生成手段と、
前記ＯＳＤ信号生成手段と前記第１又は第２のビデオ信号源とに動作的に結合され、前記ＯＳＤ信号生成手段が生成した前記ＯＳＤ信号と前記第１又は第２のビデオ信号である前記選択されたビデオ信号とを合成する手段と、
を具えるビデオ信号処理装置であって、
前記ＯＳＤ信号生成手段は、前記ＯＳＤ信号を前記第１及び第２の色フォーマットの何れの色フォーマットでも供給することができ、
前記生成されたＯＳＤ信号は、前記選択されたビデオ信号の色フォーマットに対応する、前記第１及び第２の色フォーマットのうちの選択された一方の色フォーマットに従ってフォーマット化されており、
前記ＯＳＤ信号生成手段は、所定の色フォーマットに従ってフォーマット化された色情報を含む色パレットと、該色パレットにおける該色情報を変換して、前記第１及び第２の色フォーマットのうちの選択された一方の色フォーマットに従ってフォーマット化された前記ＯＳＤ信号を供給する複数の色変換マトリックスとを有する、前記ビデオ信号処理装置。
【請求項２】  前記色パレットはＲＧＢフォーマットでフォーマット化された色情報を含む、請求項１に記載の装置。
【請求項３】  前記複数の色変換マトリックスは、前記色パレットにおける前記色情報をＹ、ＰＲ、ＰＢフォーマットに変換する変換マトリックスと、前記色パレットにおける前記色情報をＹ、ＰＩ、ＰＱフォーマットに変換する変換マトリックスとを含む、請求項１に記載の装置。
【請求項４】  前記第１のビデオ信号がアナログ・テレビジョン信号である、請求項１に記載の装置。
【請求項５】  前記第２のビデオ信号がディジタル・テレビジョン信号である、請求項１に記載の装置。
【請求項６】  受信信号の色フォーマットとマッチする色フォーマットを有するグラフィックスを生成する方法であって、
複数のビデオ信号源の中から１つのビデオ信号源を選択して、選択されたビデオ信号を供給するステップであって、前記選択されたビデオ信号は、ビデオ番組を表し、第１の色信号フォーマットと第２の色信号フォーマットのうちの一方の色信号フォーマットに従ってフォーマット化されている、該ステップと、
所定の色フォーマットに従ってフォーマット化された色情報を含む色パレットを設定するステップと、
複数の色変換マトリックスを設定するステップであって、各色変換マトリックスは、前記色パレットにおける前記色情報を変換して特定の色フォーマットに従ってフォーマット化されたグラフィックス信号を供給するように適合化されており、前記複数の色変換マトリックスにより、グラフィックス信号を前記第１及び第２の色信号フォーマットの何れの色信号フォーマットでも供給可能となる、該ステップと、
前記複数の色変換マトリックスの中から前記選択されたビデオ信号源に対応する所要の色変換マトリックスを選択し、前記ビデオ番組にオーバレイされるグラフィックス表示を形成するグラフィックス信号を生成するステップであって、該グラフィックス信号は、前記選択されたビデオ信号の色フォーマットに対応する、前記第１及び第２の色信号フォーマットのうちの一方の色信号フォーマットに従ってフォーマット化されている、該ステップと、
前記グラフィックス信号と前記受信信号とを合成するステップと、
その合成された信号を処理して出力信号を発生するステップと、
を含む、前記方法。
【請求項７】  前記パレットがＲＧＢフォーマットでフォーマット化された色情報を含む、請求項６に記載の方法。
【請求項８】  前記色変換マトリックスは、前記色パレットにおける前記色情報を、Ｙ、ＰＲ、ＰＢフォーマット化された信号とＹ、ＰＩ、ＰＱフォーマット化された信号のうちの一方に変換する、請求項６に記載の方法。
【手続補正２】
【補正対象書類名】明細書
【補正対象項目名】０００２
【補正方法】変更
【補正の内容】
【０００２】
現代のテレビジョン受信機（受像機）は、例えば、ナショナル・テレビジョン・スタンダード・コミッティ（Ｎａｔｉｏｎａｌ  Ｔｅｌｅｖｉｓｉｏｎ  Ｓｔａｎｄａｒｄ  Ｃｏｍｍｉｔｔｅｅ：ＮＴＳＣ）型の送信またはビデオ・テープからのアナログ・テレビジョン信号、およびＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ：高品位テレビジョン・システム委員会）ディジタル・テレビジョン・スタンダードＡ／５４（１９９５）に従って送信されたディジタル・ビデオ信号のような、種々の信号源からのビデオ信号を受信して処理するよう設計されている。相異なる信号源は、相異なるカラリメトリに従って符号化されていてもよい。“カラリメトリ（ｃｏｌｏｒｉｍｅｔｒｙ）”とは、色（カラー）を表す信号を生成し処理することに関連する、原色（３原色）、伝達特性およびマトリックス係数の組み合わせのことをいう。例えば、ＮＴＳＣ信号はＳＭＰＴＥ  １７０Ｍカラリメトリに従い、ＡＴＳＣ信号はＩＴＵ−Ｒ  ＢＴ．７０９（１９９０）カラリメトリに従うようデフォルト設定される。さらに、ＩＳＯ／ＩＥＣ１３８１８−２は、放送事業者が、受信機に対する入力カラリメトリを指定してその他のカラリメトリの組み合わせを許容することを規定している。
【手続補正３】
【補正対象書類名】明細書
【補正対象項目名】０００３
【補正方法】変更
【補正の内容】
【０００３】
相異なる信号間のカラリメトリの起こり得る相違を考慮すると、種々の信号源からの信号のビデオ表示が統一的なカラリメトリを有するように、カラリメトリ補償を行うテレビジョン受信機回路を設計することが望ましい。そのような回路は、特定のカラリメトリに関係なく類似したまたは同様のオブジェクト（ｏｂｊｅｃｔ）の色が実質的に類似するまたは同じになるように、入力ビデオ信号を補償する。例えば、ＡＴＳＣ信号源からの肌色トーンは、ＮＴＳＣ信号源からの肌色トーンと類似するまたは同じになるようにされるべきである。
【手続補正４】
【補正対象書類名】明細書
【補正対象項目名】０００４
【補正方法】変更
【補正の内容】
【０００４】
また、テレビジョン受信機は、情報を提供しユーザ・インタフェース機能を有効にするオンスクリーン表示グラフィックスを生成して表示する。典型的には、オンスクリーン表示は、ユーザ入力に応答して生成され、プログラムまたは受信機に関する情報を提供し、チャンネル選択および画像品質等のような諸機能をユーザに制御させる。オンスクリーン表示システムは、通常、一般的な（共通の）オンスクリーン表示信号源を具えており、そのオンスクリーン表示信号は、受信信号またはユーザ入力に応答して処理ユニットによって生成され、メモリに格納され、次いで読み出されて受信ビデオ信号と合成される（組み合わされる）。その信号の合成は、ビデオ信号に対してカラリメトリ補償が行われた後で行われる。そのオンスクリーン表示信号は、マイクロプロセッサにより制御されるミクサ（混合器）においてビデオ信号と合成される。画像のライン（ｌｉｎｅ）がＣＲＴまたは同様の表示装置上で掃引されるとき、マイクロプロセッサは、カウンタの出力に応答してオンスクリーン表示信号またはビデオ信号のいずれかを選択して出力し、それによってオンスクリーン表示画像を選択的にビデオ・プログラム（番組）画像に挿入する。
【手続補正５】
【補正対象書類名】明細書
【補正対象項目名】０００５
【補正方法】変更
【補正の内容】
【０００５】
しかし、カラリメトリ補償の前にオンスクリーン表示信号をビデオ信号に結合することが望ましい。カラリメトリ補償の前にオンスクリーン表示信号を結合することによって、メモリ要求（量）を減少させ、処理遅延を減少させることができる。この点について、ビデオ・プログラムおよびオンスクリーン表示信号を含む合成信号にカラリメトリ補償を適用したとき、オンスクリーン表示色は変化し得る。そのようにして、オンスクリーン表示グラフィックス・カラリメトリは、１つのビデオ源と別のビデオ源とで実質的に異なることがある。従って、信号源に関係なくオンスクリーン表示画像の均一な色出力を供給する形態でカラリメトリ補償の前にオンスクリーン表示信号をビデオ信号に結合させることも望ましい。
【手続補正６】
【補正対象書類名】明細書
【補正対象項目名】０００８
【補正方法】変更
【補正の内容】
【０００８】
別の観点において、本発明は、複数のオンスクリーン表示パレットを有するオンスクリーン表示ユニットを具える。複数のオンスクリーン表示パレットの各々は、オンスクリーン表示データが特定のカラリメトリ・フォーマット（ｃｏｌｏｒｉｍｅｔｒｙ  ｆｏｒｍａｔ）で格納されており、複数の信号源の中の特定の１つに関連付けられている。表示プロセッサは、特定の信号源の選択に応答して、スイッチを介してオンスクリーン表示パレットの中の選択された１つに結合される。このようにして、オンスクリーン表示信号のカラリメトリは、信号源からのビデオ・プログラム信号のカラリメトリとマッチ（整合）する。表示プロセッサの出力は、複数のマトリックスの中の１つに結合されて、カラリメトリ補償が行われる。選択されたマトリックスの出力は表示ユニットに結合される。
【手続補正７】
【補正対象書類名】明細書
【補正対象項目名】００１０
【補正方法】変更
【補正の内容】
【００１０】
従って、本発明によれば、オンスクリーン表示信号のカラリメトリがビデオ信号のカラリメトリにマッチするようにされ、オンスクリーン表示信号は、合成信号のマトリックス処理（操作）の前にビデオ・プログラム信号に結合され、それによって信号源に関係なくディスプレイにおいて均一なオンスクリーン表示色が生成される。
なお、特許請求の範囲と実施例との対応関係を図面で使われている参照番号で示すと次の通りである。
（１）  第１のビデオ番組を表し第１の色フォーマットに従ってフォーマット化された第１のビデオ信号を供給する第１のビデオ信号源１５０と、
第２のビデオ番組を表し第２の色フォーマットに従ってフォーマット化された第２のビデオ信号を供給する第２のビデオ信号源１５１と、
前記第１及び第２のビデオ信号源の一方を選択して選択されたビデオ信号を処理するために供給するスイッチ手段と、
前記第１及び第２のビデオ番組の一方にオーバレイされるグラフィックス表示を形成するオンスクリーン表示（ＯＳＤ）信号１０３、１０５、１６５を生成するＯＳＤ信号生成手段と、
前記ＯＳＤ信号生成手段と前記第１又は第２のビデオ信号源とに動作的に結合され、前記ＯＳＤ信号生成手段が生成した前記ＯＳＤ信号と前記第１又は第２のビデオ信号である前記選択されたビデオ信号とを合成する手段１１０、１４０、１２２と、
を具えるビデオ信号処理装置であって、
前記ＯＳＤ信号生成手段は、前記ＯＳＤ信号を前記第１及び第２の色フォーマットの何れの色フォーマットでも供給することができ、
前記生成されたＯＳＤ信号は、前記選択されたビデオ信号の色フォーマットに対応する、前記第１及び第２の色フォーマットのうちの選択された一方の色フォーマットに従ってフォーマット化されており、
前記ＯＳＤ信号生成手段は、所定の色フォーマットに従ってフォーマット化された色情報を含む色パレット１２５と、該色パレットにおける該色情報を変換して、前記第１及び第２の色フォーマットのうちの選択された一方の色フォーマットに従ってフォーマット化された前記ＯＳＤ信号を供給する複数の色変換マトリックス１０７、１０９とを有する、前記ビデオ信号処理装置。
（２）  前記色パレット１２５はＲＧＢフォーマットでフォーマット化された色情報を含む、（１）に記載の装置。
（３）  前記複数の色変換マトリックス１０７、１０９は、前記色パレットにおける前記色情報をＹ、ＰＲ、ＰＢフォーマットに変換する変換マトリックスと、前記色パレットにおける前記色情報をＹ、ＰＩ、ＰＱフォーマットに変換する変換マトリックスとを含む、（１）に記載の装置。
（４）  前記第１のビデオ信号がアナログ・テレビジョン信号である、（１）に記載の装置。
（５）  前記第２のビデオ信号がディジタル・テレビジョン信号である、（１）に記載の装置。
（６）  受信信号の色フォーマットとマッチする色フォーマットを有するグラフィックスを生成する方法であって、
複数のビデオ信号源１５０、１５１の中から１つのビデオ信号源を選択して、選択されたビデオ信号を供給するステップであって、前記選択されたビデオ信号は、ビデオ番組を表し、第１の色信号フォーマットと第２の色信号フォーマットのうちの一方の色信号フォーマットに従ってフォーマット化されている、該ステップと、
所定の色フォーマットに従ってフォーマット化された色情報を含む色パレットを設定するステップと、
複数の色変換マトリックスを設定するステップであって、各色変換マトリックスは、前記色パレット１２５における前記色情報を変換して特定の色フォーマットに従ってフォーマット化されたグラフィックス信号を供給するように適合化されており、前記複数の色変換マトリックスにより、グラフィックス信号を前記第１及び第２の色信号フォーマットの何れの色信号フォーマットでも供給可能となる、該ステップと、
前記複数の色変換マトリックスの中から前記選択されたビデオ信号源に対応する所要の色変換マトリックスを選択し、前記ビデオ番組にオーバレイされるグラフィックス表示を形成するグラフィックス信号Ｙ、ＰＲ、ＰＢ；Ｙ、ＰＩ、ＰＱを生成するステップであって、該グラフィックス信号は、前記選択されたビデオ信号の色フォーマットに対応する、前記第１及び第２の色信号フォーマットのうちの一方の色信号フォーマットに従ってフォーマット化されている、該ステップと、
前記グラフィックス信号と前記受信信号とを合成するステップと、
その合成された信号を処理して出力信号ＲＧＢを発生するステップと、
を含む、前記方法。
（７）  前記パレットがＲＧＢフォーマットでフォーマット化された色情報を含む、（６）に記載の方法。
（８）  前記色変換マトリックスは、前記色パレットにおける前記色情報を、Ｙ、ＰＲ、ＰＢフォーマット化された信号とＹ、ＰＩ、ＰＱフォーマット化された信号のうちの一方に変換する、（６）に記載の方法。
【手続補正８】
【補正対象書類名】明細書
【補正対象項目名】００１４
【補正方法】変更
【補正の内容】
【００１４】
装置１００は、入力１５０を介してＮＴＳＣ信号を受信するＮＴＳＣクロマ（輝度）復号器（デコーダ）１０４を具えている。ＮＴＳＣ信号は、受信され、復調され、従来知られている形態でクロマ復号器１０４に結合される。クロマ復号器１０４は、ルミナンス（輝度）信号Ｙと２つの色差信号ＩおよびＱを供給する。色差信号ＩおよびＱは、差の大きさのＲ−Ｙ成分およびＢ−Ｙ成分からなり、Ｒ−Ｙ軸およびＢ−Ｙ軸から反時計回りに３３度回転した直交軸上の信号を表す。
【手続補正９】
【補正対象書類名】明細書
【補正対象項目名】００１５
【補正方法】変更
【補正の内容】
【００１５】
アナログ出力信号Ｙ、ＩおよびＱは、Ｙ、ＰＩおよびＰＱで示された、その信号を表すディジタル表現を与えるディジタイザ１０６に供給される。そのディジタル表現の信号はスイッチ１２２の第１の端子に結合される。スイッチ１２２、および種々のプログラムまたはオンスクリーン表示（Ｏｎ‐Ｓｃｒｅｅｎ  Ｄｉｓｐｌａｙ：ＯＳＤ）信号をそれぞれのプロセッサまたはマトリックスに結合する各図に示されたその他の様々なスイッチは、装置１００の全体的動作を制御するマイクロプロセッサ１６５により制御される。マイクロプロセッサ１６５は、その装置の様々な要素を制御するための当該分野の専門家に知られている複数の制御装置の中の任意の１つを含んでいてもよい。また、本発明では単一のプロセッサが記載されているが、この分野の専門家であれば、マイクロプロセッサ１６５が特定の機能を制御するための様々な専用の装置を、即ちメモリ制御器およびマイクロプロセッサ・インタフェース・ユニット等を含んでいてもよいことを理解するであろう。
【手続補正１０】
【補正対象書類名】明細書
【補正対象項目名】００１７
【補正方法】変更
【補正の内容】
【００１７】
オンスクリーン表示信号は、Ｙ、ＰＲおよびＰＢフォーマットのオンスクリーン表示信号の表現を含んでいるオンスクリーン表示パレット１０２を用いて生成される。オンスクリーン表示パレット１０２はソフトウェアの形態で埋め込まれていてもよく、特定のビット・シーケンスが特定の色に関連付けられる。マイクロプロセッサ１６５は、オンスクリーン表示パレット１０２中の色情報に基づいて、オンスクリーン表示ビットストリームを生成し、生成されたオンスクリーン表示ビットストリームを表示プロセッサ１１０に転送する。生成されたオンスクリーン表示ビットストリームは、出力画像上のオンスクリーン表示画像の望ましい（所望の）位置に基づいて、ビデオ・プログラム信号と合成される。従って、表示プロセッサ１１０のメモリは、出力信号のビットマップされた表現を含んでいる。その表現は、オンスクリーン表示画像と合成されたビデオ・プログラム画像を含んでいる。
【手続補正１１】
【補正対象書類名】明細書
【補正対象項目名】００１９
【補正方法】変更
【補正の内容】
【００１９】
スイッチ１２６は、選択されたマトリックスの出力を表示制御器１１６の入力に結合させる。表示制御器１１６は、一般的に、例えば明るさ（ｂｒｉｇｈｔｎｅｓｓ）およびコントラスト（ｃｏｎｔｒａｓｔ）のようなユーザ入力制御に応答して、出力画像を制御するための回路を含んでいる。次いで、表示制御器１１６の出力は表示装置１２０に結合される。表示装置１２０には、ＣＲＴまたはフラット・パネル・ディスプレイ装置等が含まれる。